(57)【要約】【課題】ユリア樹脂などの硬質材料の便座や便蓋をケーシングから着脱できる便座装置を提供することを目的とする。【解決手段】便器に設置されヒンジピンを有するケーシングと、前記ケーシングに対して前記ヒンジピンを介して回動可能に装着される便座および便蓋の少なくともいずれかの開閉部材と、前記開閉部材が前記ヒンジピンから抜けることを防止する拘束金具と、を備え、前記開閉部材は、前記拘束金具の一端部を差し込み可能な溝部を有し、前記拘束金具は、前記一端部が前記溝部に差し込まれ、他の部分が着脱可能な取付具により前記ヒンジピンに固定されることを特徴とする便座装置が提供される。【選択図】図２
2010124882.tif 000002
【特許請求の範囲】
【請求項１】
便器に設置されヒンジピンを有するケーシングと、
前記ケーシングに対して前記ヒンジピンを介して回動可能に装着される便座および便蓋の少なくともいずれかの開閉部材と、
前記開閉部材が前記ヒンジピンから抜けることを防止する拘束金具と、
を備え、
前記開閉部材は、前記拘束金具の一端部を差し込み可能な溝部を有し、
前記拘束金具は、前記一端部が前記溝部に差し込まれ、他の部分が着脱可能な取付具により前記ヒンジピンに固定されることを特徴とする便座装置。
【請求項２】
前記開閉部材は、
一側面が開放されたヒンジピン保持穴であって、前記開放された一側面から挿入された前記ヒンジピンを保持するヒンジピン保持穴と、
前記ヒンジピン保持穴の前記一側面の一端に連設され、前記ヒンジピン保持穴に向かって傾斜したガイド面と、
を有し、
前記溝部は、前記ガイドピン保持溝の前記一側面の他端に連設され、
前記ガイド面と前記溝部とは、同じ方向に傾斜したことを特徴とする請求項１記載の便座装置。
【請求項３】
前記拘束金具は、
前記取付具により前記ヒンジピンに固定される基部と、
前記溝部に差し込まれる差込片と、
前記基部及び前記差込部の少なくともいずれかから延在し屈曲した掴み片と、
を一体的に有することを特徴とする請求項１または２に記載の便座装置。
【請求項４】
便器に設置されヒンジピンを有するケーシングと、
前記ケーシングに対して前記ヒンジピンを介して回動可能に装着される便座および便蓋の少なくともいずれかの開閉部材と、
前記開閉部材が前記ヒンジピンから抜けることを防止する拘束金具と、
を備え、
前記開閉部材は、前記拘束金具を差し込み可能な溝部を有し、
前記拘束金具を前記溝部に差し込んで嵌合させることにより前記開閉部材が前記ヒンジピンから抜けることが防止されることを特徴とする便座装置。
【請求項５】
便器に設置されヒンジピンを有するケーシングと、
前記ケーシングに対して前記ヒンジピンを介して回動可能に装着される便座および便蓋の少なくともいずれかの開閉部材と、
前記開閉部材が前記ヒンジピンから抜けることを防止する拘束金具と、
を備え、
前記開閉部材は、前記拘束金具の一端部を差し込み可能な溝部を有し、
前記拘束金具は、前記一端部が前記溝部に差し込まれ、他の部分が着脱可能な取付具により前記ケーシングに固定されることを特徴とする便座装置。
【発明の詳細な説明】
【技術分野】
【０００１】
本発明の態様は、一般的に、便座装置に関し、具体的には洋式腰掛便器に装着される便座装置に関する。
【背景技術】
【０００２】
便座を覆う便蓋は、一般的には、便座と同じくポリプロピレンにより製造されている。これに対して、便蓋や便座を有する便座装置の外観に、より高い意匠性が求められる場合がある。そこで、ユリア樹脂（尿素樹脂）やメラミン樹脂やＦＲＰ（Fiberglass Reinforced Plastics）などのような、ポリプロピレンよりも硬質な材料（以下、「硬質材料」という）により製造された便座や便蓋を有する便座装置がある。
【０００３】
しかしながら、ユリア樹脂などの硬質材料の耐衝撃性や耐クラック性は、ポリプロピレンよりも小さい。そのため、便座や便蓋の回動軸となるヒンジピンを着脱自在に保持するヒンジピン保持部を硬質材料製の便座や便蓋にねじ止めすると、その便座や便蓋に割れやクラックが生ずるおそれがある。
【０００４】
また、軸受け部で破損やガタツキが生じないようにするため、軸受け部の内周に沿わせて補強材を隙間無く圧入嵌合させた便座・便蓋の取付構造がある（特許文献１）。しかしながら、特許文献１に記載された取付構造では、補強材を隙間無く圧入嵌合させているため、硬質材料製の便座や便蓋を用いた場合には、その便座や便蓋に割れやクラックが生ずるおそれがある。そのため、ユリア樹脂などの硬質材料製の便座や便蓋を便座装置のケーシングから着脱できないという問題がある。
【特許文献１】特開２００２−５１９４２号公報
【発明の開示】
【発明が解決しようとする課題】
【０００５】
本発明は、かかる課題の認識に基づいてなされたものであり、ユリア樹脂などの硬質材料の便座や便蓋をケーシングから着脱できる便座装置を提供することを目的とする。
【課題を解決するための手段】
【０００６】
第１の発明は、便器に設置されヒンジピンを有するケーシングと、前記ケーシングに対して前記ヒンジピンを介して回動可能に装着される便座および便蓋の少なくともいずれかの開閉部材と、前記開閉部材が前記ヒンジピンから抜けることを防止する拘束金具と、を備え、前記開閉部材は、前記拘束金具の一端部を差し込み可能な溝部を有し、前記拘束金具は、前記一端部が前記溝部に差し込まれ、他の部分が着脱可能な取付具により前記ヒンジピンに固定されることを特徴とする便座装置である。  
この便座装置によれば、拘束金具を取り付けたり、取り外したりすることで、便座や便蓋をケーシングから着脱することができる。また、例えばねじなどの取付具を便座および便蓋には固定させていないため、ユリア樹脂などの硬質材料により形成された便座や便蓋を使用しても、その便座および便蓋に割れやクラックが生ずることを防止することができる。そのため、便座および便蓋をユリア樹脂などの硬質材料により形成できるため、傷付き防止性を向上させつつ、着脱性を維持することができる。
【０００７】
また、第２の発明は、第１の発明において、前記開閉部材は、一側面が開放されたヒンジピン保持穴であって、前記開放された一側面から挿入された前記ヒンジピンを保持するヒンジピン保持穴と、前記ヒンジピン保持穴の前記一側面の一端に連設され、前記ヒンジピン保持穴に向かって傾斜したガイド面と、を有し、前記溝部は、前記ガイドピン保持溝の前記一側面の他端に連設され、前記ガイド面と前記溝部とは、同じ方向に傾斜したことを特徴とする便座装置である。  
この便座装置によれば、拘束金具は、ガイド面により案内されるため、拘束金具の取り付けを行いやすく、製造時やメンテナンス時の作業性を向上させることができる。
【０００８】
また、第３の発明は、第１または第２の発明において、前記拘束金具は、前記取付具により前記ヒンジピンに固定される基部と、前記溝部に差し込まれる差込片と、前記基部及び前記差込部の少なくともいずれかから延在し屈曲した掴み片と、を一体的に有することを特徴とする便座装置である。  
この便座装置によれば、掴み片が設けられているため、拘束金具の取り外しを行いやすく、製造時やメンテナンス時の作業性を向上させることができる。
【０００９】
また、第４の発明は、便器に設置されヒンジピンを有するケーシングと、前記ケーシングに対して前記ヒンジピンを介して回動可能に装着される便座および便蓋の少なくともいずれかの開閉部材と、前記開閉部材が前記ヒンジピンから抜けることを防止する拘束金具と、を備え、前記開閉部材は、前記拘束金具を差し込み可能な溝部を有し、前記拘束金具を前記溝部に差し込んで嵌合させることにより前記開閉部材が前記ヒンジピンから抜けることが防止されることを特徴とする便座装置である。  
この便座装置によれば、拘束金具を取り付けたり、取り外したりすることで、便座や便蓋をケーシングから着脱することができる。また、例えばねじなどの取付具を便座および便蓋には固定させていないため、ユリア樹脂などの硬質材料により形成された便座や便蓋を使用しても、その便座および便蓋に割れやクラックが生ずることを防止することができる。そのため、便座および便蓋をユリア樹脂などの硬質材料により形成できるため、傷付き防止性を向上させつつ、着脱性を維持することができる。
【００１０】
また、第５の発明は、便器に設置されヒンジピンを有するケーシングと、前記ケーシングに対して前記ヒンジピンを介して回動可能に装着される便座および便蓋の少なくともいずれかの開閉部材と、前記開閉部材が前記ヒンジピンから抜けることを防止する拘束金具と、を備え、前記開閉部材は、前記拘束金具の一端部を差し込み可能な溝部を有し、前記拘束金具は、前記一端部が前記溝部に差し込まれ、他の部分が着脱可能な取付具により前記ケーシングに固定されることを特徴とする便座装置である。  
この便座装置によれば、拘束金具を取り付けたり、取り外したりすることで、便座や便蓋をケーシングから着脱することができる。また、例えばねじなどの取付具を便座および便蓋には固定させていないため、ユリア樹脂などの硬質材料により形成された便座や便蓋を使用しても、その便座および便蓋に割れやクラックが生ずることを防止することができる。そのため、便座および便蓋をユリア樹脂などの硬質材料により形成できるため、傷付き防止性を向上させつつ、着脱性を維持することができる。
【発明の効果】
【００１１】
本発明の態様によれば、ユリア樹脂などの硬質材料の便座や便蓋をケーシングから着脱できる便座装置が提供される。
【発明を実施するための最良の形態】
【００１２】
以下、本発明の実施の形態について図面を参照しつつ説明する。なお、各図面中、同様の構成要素には同一の符号を付して詳細な説明は適宜省略する。  
図１は、本発明の実施の形態にかかる便座装置を備えたトイレ装置を表す斜視模式図である。
【００１３】
本実施形態にかかる便座装置は、洋式腰掛便器（以下、単に「便器」と称す）１００に設置されたケーシング２００と、ケーシング２００に対して回動自在に軸支された便座（開閉部材）３００および便蓋（開閉部材）４００と、を備える。ケーシング２００の内部には、便蓋４００を回動自在に開閉させる開閉ユニット２２０と、便蓋４００の開閉動作に作用するヒンジユニット２１０と、が設けられている。
【００１４】
便座３００および便蓋４００は、ユリア樹脂（尿素樹脂）やメラミン樹脂やＦＲＰ（Fiberglass Reinforced Plastics）などから形成されている。ユリア樹脂やメラミン樹脂やＦＲＰは、便座および便蓋に一般的に使用されているポリプロピレンよりも硬質である。ここで、本願明細書では、ユリア樹脂などのように、ポリプロピレンよりも硬質な材料を「硬質材料」という。そして、便座３００および便蓋４００を硬質材料により形成することで、便座装置の見栄えがよくなり、便座装置の傷付き防止性を向上させることができる。
【００１５】
ヒンジユニット２１０には、ヒンジピン２３０の一端が係合されている。一方、ヒンジピン２３０の他端は、便蓋４００に係合されている。そして、ヒンジユニット２１０は、便蓋４００が開く場合には、ヒンジピン２３０を介して便蓋４００の動作を助勢する。一方、ヒンジユニット２１０は、便蓋４００が閉じる場合には、ヒンジピン２３０を介して便蓋４００の動作に抵抗を加える。つまり、ヒンジユニット２１０が設けられていない場合と比較すると、より小さな力で便蓋４００を開けることができ、便蓋４００を閉じる場合にはより大きな力を必要とする。そのため、便蓋４００は、より速やかに開き、よりゆっくりと閉じる。したがって、ヒンジユニット２１０は、便蓋４００が閉じた際の衝撃を和らげることができる。
【００１６】
開閉ユニット２２０には、ヒンジユニット２１０と同様に、ヒンジピン２３０の一端が係合されている。一方、ヒンジピン２３０の他端は、便蓋４００に係合されている。そして、開閉ユニット２２０は、図示しない制御部からの制御信号に基づいて駆動し、ヒンジピン２３０を介して便蓋４００を回動自在に開閉させることができる。なお、開閉ユニット２２０は、ヒンジユニット２１０と同様に、便蓋４００の動作を助勢したり、抵抗を加える機能も有する。そのため、便蓋４００は、両側のヒンジピン２３０を介して、助勢されたり、抵抗を受ける。
【００１７】
また、ケーシング２００の内部であって便座３００の軸支部分には、便蓋４００と同様に、便座３００を回動自在に開閉させる開閉ユニット（図示せず）と、便座３００の開閉に作用するヒンジユニット（図示せず）と、が設けられている。但し、便座３００および便蓋４００のケーシング２００への取付構造は同様であるため、説明の便宜上、以下の説明においては、便蓋４００とケーシング２００との取付構造を例に挙げて説明する。
【００１８】
なお、ケーシング２００の内部には、例えば、便座３００に座った使用者の「おしり」などの洗浄を実現する局部洗浄機能部や、便器１００のボウル内の空気を吸い込み、フィルタや触媒などを介して臭気成分を低減させる脱臭機能部や、便座３００に座った使用者の「おしり」などに向けて温風を吹き付けて乾燥させる温風乾燥機能部や、トイレ室内に温風を吹き出してトイレ室を暖房する室内暖房機能部などが内蔵されていてもよい。ただし、局部洗浄機能部や脱臭機能部や温風乾燥機能部や室内暖房機能部などは、必ずしも設けなくてもよい。  
また、図１に表した具体例においては、便座３００と便蓋４００を備えたトイレ装置を例示したが、本発明はこれには限定されない。例えば、便蓋４００を備えず、便座３００のみを備えたトイレ装置も、本発明の範囲に包含される。
【００１９】
図２は、ヒンジユニット側のヒンジピンの近傍を表す斜視模式図である。なお、図２（ａ）は、便蓋とヒンジピンとが固定される前の状態を表す斜視模式図であり、図２（ｂ）は、便蓋とヒンジピンとが固定された後の状態を表す斜視模式図である。  
また、図３は、ヒンジユニット側のヒンジピンの近傍を表す側面模式図である。なお、図３（ａ）は、便蓋とヒンジピンとが固定される前の状態を表す側面模式図であり、図３（ｂ）は、便蓋とヒンジピンとが固定された後の状態を表す側面模式図である。図３は、図１に表したＡ−Ａ断面図に相当する。  
また、図２および図３では、説明の便宜上、ケーシング２００およびヒンジユニット２１０を省略している。
【００２０】
便蓋４００は、図２に表したように、ヒンジピン２３０を保持するヒンジピン保持穴４１０を有する。このヒンジピン保持穴４１０の一側面は開放され、この開放された一側面からヒンジピン２３０が挿入可能とされている。そして、この開放された一側面の一端には、ヒンジピン保持穴４１０に向かって傾斜したガイド面４１３が連設して形成されている。また、開放された一側面の他端、すなわちガイド面４１３が形成された一側面に対向する側面には、溝部４１１が連設して形成されている。そして、ガイド面４１３と溝部４１１とは、同じ方向に傾斜している。
【００２１】
ヒンジピン２３０は、ヒンジユニット２１０に係合される平坦部２３１を一端部に有し、ヒンジピン保持穴４１０に保持される保持部２３３を他端部に有する。そして、ケーシング２００に適宜設けられた開口部に平坦部２３１を通し、その平坦部２３１をヒンジユニット２１０に係合させることにより、ヒンジピン２３０は、ヒンジユニット２１０に取り付けられている。一方、保持部２３３は、外周面の少なくとも一部に平面を有する。そして、その平面と、ヒンジピン保持穴４１０の内壁と、を合わせるようにして、ヒンジピン２３０は、ヒンジピン保持穴４１０に保持されている。
【００２２】
なお、ヒンジピン２３０は、平坦部２３１および保持部２３３に平面を有するため、便蓋４００およびヒンジユニット２１０に対して空転することなく、便蓋４００の開閉と共に回動できる。
【００２３】
拘束金具５１０は、ねじなどの取付具５２０を挿通させる挿通穴５１７が設けられた基部５１１と、溝部４１１に差し込まれる差込片５１３と、基部５１１の一部が屈曲された掴み片５１５と、を有する。そして、図２（ａ）に表した矢印Ｂあるいは図３（ａ）に表した矢印Ｃのように、拘束金具５１０の差込片５１３を溝部４１１に差し込む。このとき、溝部４１１とガイド面４１３とは、同じ方向に傾斜しているため、図３（ａ）に表したように、拘束金具５１０の屈曲部５１９は、ガイド面４１３により溝部４１１の方向に案内される。そのため、その案内方向に沿うように拘束金具５１０を移動させることで、差込片５１３を容易に溝部４１１に差し込むことができる。
【００２４】
続いて、挿通穴５１７に取付具５２０を通して、ヒンジピン２３０の保持部２３３に設けられた取付穴２３５に取付具５２０を固定する。そうすると、拘束金具５１０の基部５１１は、図２（ｂ）および図３（ｂ）に表したように、ヒンジピン２３０に固定される。すなわち、拘束金具５１０が、ヒンジピン２３０に固定される。
【００２５】
ここで、拘束金具５１０がヒンジピン２３０に固定された状態において、ヒンジピン２３０をヒンジピン保持穴４１０から抜こうとしても、そのヒンジピン２３０を抜くことはできない。例えば、図３（ｂ）に表した矢印Ｄの方向にヒンジピン２３０を抜こうとしても、ヒンジピン２３０に固定された拘束金具５１０の差込片５１３が溝部４１１に差し込まれているため、矢印Ｄの方向には抜くことができない。また例えば、図３（ｂ）に表した矢印Ｅにように、差込片５１３の溝部４１１への差込方向とは反対方向にヒンジピン２３０を抜こうとしても、ヒンジピン２３０の外周面２３７と、ヒンジピン保持穴４１０の内壁４１５と、が接触するため、矢印Ｅの方向には抜くことができない。
【００２６】
つまり、拘束金具５１０は、その差込片５１３が溝部４１１に差し込まれ、取付具５２０によりヒンジピン２３０に固定されることで、ヒンジピン２３０が便蓋４００のヒンジピン保持穴４１０から抜けることを防止できる。言い換えれば、拘束金具５１０がヒンジピン２３０に固定された状態では、便蓋４００をヒンジピン２３０およびケーシング２００から取り外すことができない。一方、取付具５２０を取り外し、拘束金具５１０を溝部４１１から抜いて取り外せば、前述したヒンジピン保持穴４１０の一側面を介して便蓋４００をヒンジピン２３０およびケーシング２００から取り外すことができる。
【００２７】
このように、本実施形態にかかる便座装置では、拘束金具５１０は、取付具５２０により、ヒンジピン保持穴４１０に保持されたヒンジピン２３０に固定されている。つまり、取付具５２０は、硬質材料から形成された便蓋４００には固定されていない。硬質材料の耐衝撃性や耐クラック性は、ポリプロピレンよりも小さい。そのため、取付具５２０を便蓋４００に固定すると、便蓋４００に割れやクラックが生ずるおそれがある。
【００２８】
これに対して、本実施形態にかかる便座装置では、取付具５２０は便蓋４００には固定されていないため、便蓋４００に割れやクラックが生ずることを防止することができる。そして、拘束金具５１０を取り付けたり、取り外したりすることで、ユリア樹脂などの硬質材料から形成された便蓋４００をケーシング２００から着脱できる。また、便蓋４００をユリア樹脂などの硬質材料により形成できるため、本実施形態にかかる便座装置は、傷付き防止性を向上させつつ、着脱性を維持できる。なお、前述したように、拘束金具５１０の屈曲部５１９は、ガイド面４１３により案内されるため、拘束金具５１０の取り付けを行いやすく、製造時やメンテナンス時の作業性を向上させることができる。
【００２９】
図４は、本実施形態の便蓋を表す斜視模式図である。  
また、図５は、ヒンジユニット側のヒンジピン保持穴を表す斜視模式図である。なお、図５は、図４に表した矢視Ｆの方向に眺めた斜視模式図である。  
また、図６は、開閉ユニット側のヒンジピン保持穴を表す斜視模式図である。なお、図６は、図４に表した矢視Ｇの方向に眺めた斜視模式図である。
【００３０】
ヒンジユニット２１０側のヒンジピン保持穴４１０は、図２および図３に関して前述したように、溝部４１１とガイド面４１３とを有する。また、ヒンジピン保持穴４１０は、開いた形状を有する。つまり、ヒンジピン保持穴４１０の内壁４１５は、全周に亘って連続しているわけではなく、その少なくとも一部に不連続な部分を有する。そのため、拘束金具５１０が取り付けられていない場合において、図３（ｂ）に表した矢印Ｄの方向に、ヒンジピン２３０をヒンジピン保持穴４１０から抜くことができる。
【００３１】
これに対して、開閉ユニット２２０側のヒンジピン保持穴４２０は、図６に表したように、閉じた形状を有する。つまり、ヒンジピン保持穴４２０の内壁４２５は、全周に亘って連続している。そのため、開閉ユニット２２０側のヒンジピン保持穴４２０に係合されたヒンジピン２３０には、拘束金具５１０が固定されてない。拘束金具５１０が固定されていなくとも、図３（ｂ）に表した矢印Ｄのようには、ヒンジピン２３０をヒンジピン保持穴４２０から抜くことはできない。
【００３２】
このように、開閉ユニット２２０側のヒンジピン保持穴４２０は、閉じた形状を有するため、ヒンジユニット２１０側のヒンジピン保持穴４１０よりも大きな強度を有する。そのため、便蓋４００を回動自在に開閉させる開閉ユニット２２０からの駆動力は、より確実に便蓋４００に伝達される。また、開閉ユニット２２０から駆動力や衝撃力により、ヒンジピン保持穴４２０が破損するおそれは少ない。
【００３３】
図７および図８は、ケーシングから便蓋を取り外す方法について説明するための斜視模式図である。  
ケーシング２００から便蓋４００を取り外す場合には、まず、図７（ａ）に表したように、拘束金具５１０を介してヒンジピン２３０に固定された取付具５２０を工具などにより取り外す。この場合、ケーシング２００および便蓋４００の後方には、一般的に、トイレ室の壁面が設けられているため、より短い工具を使用することが好ましい。
【００３４】
続いて、図７（ｂ）に表したように、拘束金具５１０の掴み片５１５を手で掴み、ヒンジピン保持穴４１０の溝部４１１から矢印の方向へ引き抜く。そうすると、図７（ｃ）に表したように、ヒンジピン２３０は、便蓋４００の少なくとも後方へ開放された状態となる。なお、拘束金具５１０には掴み片５１５が設けられているため、作業者などは掴み片５１５を手で掴むことで拘束金具５１０を取り外しやすい。そのため、製造時やメンテナンス時の作業性を向上させることができる。
【００３５】
この状態から、図８（ａ）に表したように、便蓋４００を開く方向へ適宜回動させ、矢印の方向へ便蓋４００を移動させる。そうすると、図８（ａ）に表したように、ヒンジユニット２１０側のヒンジピン２３０から便蓋４００を取り外すことができる。
【００３６】
なお、開閉ユニット２２０側のヒンジピン保持穴４２０は、図６に関して前述したように、閉じた形状を有するため、図８（ａ）に表した状態では未だ開閉ユニット２２０側のヒンジピン２３０から便蓋４００を取り外すことはできない。但し、ヒンジピン保持穴４２０の長手方向の長さは、ヒンジピン２３０の保持部２３３の長手方向の長さよりも長いため、図８（ａ）に表した矢印の方向に便蓋４００を移動させることができる。
【００３７】
続いて、図８（ｂ）に表したように、矢印の方向へ便蓋４００を移動させることにより、開閉ユニット２２０側のヒンジピン２３０から便蓋４００を取り外すことができる。その結果、ケーシング２００から便蓋４００を取り外すことができる。なお、ケーシング２００に便蓋４００を取り付ける場合には、前述した作業をさかのぼって行えばよい。
【００３８】
これによれば、取付具５２０を取り外し、拘束金具５１０を溝部４１１から抜いて取り外せば、便蓋４００をケーシング２００から取り外すことができる。つまり、硬質材料により形成された便蓋４００であっても、便蓋４００をケーシング２００から着脱できる。
【００３９】
次に、本実施形態の変形例について図面を参照しつつ説明する。  
図９は、本実施形態の変形例にかかるヒンジユニット側のヒンジピンの近傍を表す平面模式図である。
【００４０】
本変形例の便蓋４００ａは、ヒンジピン２３０を保持するヒンジピン保持穴４１０ａを有する。このヒンジピン保持穴４１０ａは、図９に表したように、一側面に溝部４１１ａを有し、その一側面に対向する側面にも溝部４１１ａを有する。つまり、溝部４１１ａは、ヒンジピン保持穴４１０ａの内壁から、図９における上方と下方とに向かう一対の溝部４１１ａとして形成されている。
【００４１】
また、本変形例の拘束金具５１０ａは、図９に表したように、基部５１１ａと、溝部４１１ａに差し込まれる差込片５１３ａと、を有する。基部５１１ａは、拘束金具５１０ａを着脱させるときの掴み片としても機能する。差込片５１３ａは、基部５１１ａの少なくとも一部が屈曲されて形成され、拘束金具５１０ａの両端部に設けられている。
【００４２】
ヒンジピン２３０がヒンジピン保持穴４１０ａから抜けないようにするためには、拘束金具５１０ａを弾性変形させてヒンジピン保持穴４１０ａに挿入し、両端部の差込片５１３ａを一対の溝部４１１ａにそれぞれ嵌合させる。そうすると、拘束金具５１０ａが便蓋４００ａのヒンジピン保持穴４１０ａに固定される。その結果として、ヒンジピン２３０は、ヒンジピン保持穴４１０ａから抜けようとしても、拘束金具５１０ａにより妨げられるため、ヒンジピン保持穴４１０ａから抜けない。
【００４３】
本変形例によれば、拘束金具５１０ａの両端部の差込片５１３ａを一対の溝部４１１ａにそれぞれ嵌合させることにより、拘束金具５１０ａをヒンジピン保持穴４１０ａに固定するため、例えばねじのような取付具５２０を必要としない。そのため、便蓋４００とケーシング２００との取付構造を簡略化することがてき、硬質材料により形成された便蓋４００であっても、便蓋４００をケーシング２００から容易に着脱できる。また、拘束金具５１０ａは、その両端部においてヒンジピン保持穴４１０ａに嵌合されているため、ヒンジピン２３０の抜け防止をより確実に行うことができる。さらに、取付具５２０を必要としないため、便蓋４００に割れやクラックが生ずることを防止することができる。なお、その他の効果についても、図２および図３に関して前述した効果と同様の効果を得ることができる。
【００４４】
図１０は、本実施形態の他の変形例にかかるヒンジユニット側のヒンジピンの近傍を表す平面模式図である。  
本変形例の便蓋４００ｂは、ヒンジピン２３０を保持するヒンジピン保持穴４１０ｂを有する。このヒンジピン保持穴４１０ｂは、図１０に表したように、一側面に溝部４１２ｂを有し、その一側面に対向する側面にも溝部４１４ｂを有する。溝部４１２ｂ、４１４ｂは、湾曲した形状を有する。そして、溝部４１２ｂの湾曲中心４５２ｂは、その溝部４１２ｂに対してヒンジピン２３０側に存在する。一方、溝部４１４ｂの湾曲中心４５４ｂは、その溝部４１４ｂに対してヒンジピン２３０とは反対側に存在する。
【００４５】
また、本変形例の拘束金具は、２つの金具を有する。拘束金具５１２ｂは、溝部４１２ｂに差し込まれ、その差し込まれた状態において、溝部４１２ｂの湾曲中心４５２ｂと略同じ位置に湾曲中心を有する。一方、拘束金具５１４ｂは、溝部４１４ｂに差し込まれ、その差し込まれた状態において、溝部４１４ｂの湾曲中心４５４ｂと略同じ位置に湾曲中心を有する。
【００４６】
ヒンジピン２３０がヒンジピン保持穴４１０ｂから抜けないようにするためには、まず、拘束金具５１２ｂを溝部４１２ｂに差し込み、次に、拘束金具５１４ｂを溝部４１４ｂに差し込む。続いて、拘束金具５１４ｂに設けられた挿通穴５１７ｂに取付具５２０を通して、拘束金具５１２ｂに設けられた取付穴５１８ｂに固定する。そうすると、拘束金具５１２ｂと、拘束金具５１４ｂと、が締結される。拘束金具５１２ｂ、５１４ｂは、湾曲した溝部４１２ｂ、４１４ｂに差し込まれているため、拘束金具５１２ｂ、５１４ｂ同士が締結された状態では、ヒンジピン保持穴４１０ｂから抜けない。その結果として、ヒンジピン２３０は、ヒンジピン保持穴４１０ｂから抜けようとしても、拘束金具５１２ｂ、５１４ｂにより妨げられるため、ヒンジピン保持穴４１０ｂから抜けない。
【００４７】
本変形例によれば、取付具５２０により締結された拘束金具５１２ｂ、５１４ｂを一体として捉えた場合には、その拘束金具５１２ｂ、５１４ｂは、両端部において溝部４１２ｂ、４１４ｂに差し込まれているため、図９に表した拘束金具５１０ａと同様に、ヒンジピン２３０の抜け防止をより確実に行うことができる。また、取付具５２０は、拘束金具５１２ｂに固定され、便蓋４００には固定されていないため、便蓋４００に割れやクラックが生ずることを防止することができる。これにより、便蓋４００をケーシング２００から着脱することができる。なお、その他の効果についても、図２および図３に関して前述した効果と同様の効果を得ることができる。
【００４８】
図１１（ａ）は、本実施形態のさらに他の変形例にかかるヒンジユニット側のヒンジピンの近傍を表す平面模式図である。  
また、図１１（ｂ）は、本変形例の拘束金具を表す斜視模式図である。
【００４９】
本変形例の便蓋４００ｃは、ヒンジピン２３０を保持するヒンジピン保持穴４１０ｃを有する。このヒンジピン保持穴４１０ｃは、図２および図３に表したヒンジピン保持穴４１０と同様に、ヒンジピン保持穴４１０ｃに向かって傾斜したガイド面４１３ｃを一側面に有する。また、ヒンジピン保持穴４１０ｃは、ガイド面４１３ｃが形成された一側面に対向する側面に溝部４１１ｃを有する。溝部４１１ｃは湾曲した形状を有し、その湾曲中心４５１ｃは、その溝部４１１ｃに対してヒンジピン２３０とは反対側に存在する。
【００５０】
また、本変形例の拘束金具５１０ｃは、図１１（ｂ）に表したように、湾曲した形状を有する。そして、拘束金具５１０ｃは、差込片５１３ｃが溝部４１１ｃに差し込まれた状態において、溝部４１１ｃの湾曲中心４５１ｃと略同じ位置に湾曲中心を有する。そして、拘束金具５１０ｃに設けられた挿通穴５１７ｃに取付具５２０を通して、ヒンジピン２３０の取付穴２３５に固定する。そうすることで、ヒンジピン２３０がヒンジピン保持穴４１０ｃから抜けることを防止することができる。
【００５１】
本変形例によれば、拘束金具５１０ｃは、取付具５２０により、ヒンジピン２３０に固定されている。つまり、取付具５２０は、便蓋４００には固定されていない。そのため、便蓋４００に割れやクラックが生ずることを防止することができる。これにより、便蓋４００をケーシング２００から着脱することができる。また、拘束金具５１０ｃは、ガイド面４１３ｃにより案内されるため、拘束金具５１０ｃの取り付けを行いやすく、製造時やメンテナンス時の作業性を向上させることができる。なお、その他の効果についても、図２および図３に関して前述した効果と同様の効果を得ることができる。
【００５２】
図１２は、本実施形態のさらに他の変形例にかかるヒンジユニット側のヒンジピンの近傍を表す平面模式図である。  
本変形例の便蓋４００ｄは、ヒンジピン２３０を保持するヒンジピン保持穴４１０ｄを有する。このヒンジピン保持穴４１０ｄは、図２および図３に表したヒンジピン保持穴４１０と同様に、ヒンジピン保持穴４１０ｄに向かって傾斜したガイド面４１３ｄを一側面に有する。また、ヒンジピン保持穴４１０ｄは、ガイド面４１３ｄが形成された一側面に対向する側面に溝部４１１ｄを有する。溝部４１１ｄは、拘束金具５１０ｄの厚さよりも大きい幅を有している。
【００５３】
また、本変形例の拘束金具５１０ｄは、図１１（ｂ）に表した拘束金具５１０ｃの差込片５１３ｃがさらに屈曲され延在した形状を有する。そして、この差込片５１３ｃは、例えば、いわゆる「板ばね」のような弾性を有する。そのため、拘束金具５１０ｄは、差込片５１３ｄが溝部４１１ｄに差し込まれた状態では、図１２に表した矢印の方向にヒンジピン２３０を押さえることができる。続いて、拘束金具５１０ｄに設けられた挿通穴５１７ｄに取付具５２０を通して、ヒンジピン２３０の取付穴２３５に固定することで、ヒンジピン２３０がヒンジピン保持穴４１０ｄから抜けることを防止することができる。
【００５４】
本変形例によれば、拘束金具５１０ｄは、差込片５１３ｄが溝部４１１ｄに差し込まれた状態において、ヒンジピン２３０を押さえているため、ヒンジピン２３０のガタツキを抑制できる。そのため、便蓋４００の開閉の際のガタツキをより抑えることができる。なお、その他の効果についても、図２および図３に関して前述した効果と同様の効果を得ることができる。
【００５５】
図１３は、本実施形態のさらに他の変形例にかかるヒンジユニット側のヒンジピンの近傍を表す平面模式図である。  
本変形例の便蓋４００ｅは、ヒンジピン２３０を保持するヒンジピン保持穴４１０ｅを有する。このヒンジピン保持穴４１０ｅは、図２および図３に表したヒンジピン保持穴４１０と同様に、ヒンジピン保持穴４１０ｅに向かって傾斜したガイド面４１３ｅを一側面に有する。また、ヒンジピン保持穴４１０ｅは、ガイド面４１３ｅが形成された一側面に対向する側面に溝部４１１ｅを有する。この溝部４１１ｅの少なくとも一部には、嵌合部４１２ｅが形成されている。
【００５６】
また、本変形例の拘束金具５１０ｅは、２つの掴み片５１５ｅ、５１６ｅを有する。２つの掴み片５１５ｅ、５１６ｅは、屈曲した差込片５１３ｅにより接続されている。そして、拘束金具５１０ｅは、例えば、いわゆる「板ばね」のような弾性を有し、掴み片５１６ｅを図１３に表した矢印Ｈの方向に移動させることができる。また、差込片５１３ｅの少なくとも一部には、溝部４１１ｅの嵌合部４１２ｅと嵌合可能な嵌合部５１４ｅが形成されている。
【００５７】
差込片５１３ｅが溝部４１１ｅに差し込まれると、差込片５１３ｅに設けられた嵌合部５１４ｅは、溝部４１１ｅに設けられた嵌合部４１２ｅに嵌合される。そして、拘束金具５１０ｅは、弾性を有するため、この状態においては、図１３に表した矢印Ｉの方向にヒンジピン２３０を押さえることができる。その結果、ヒンジピン２３０がヒンジピン保持穴４１０ｅから抜けることを防止することができる。
【００５８】
本変形例によれば、拘束金具５１０ｅは、差込片５１３ｅが溝部４１１ｅに差し込まれ、嵌合部５１４ｅが嵌合部４１２ｅに嵌合された状態において、ヒンジピン２３０を押さえているため、ヒンジピン２３０のガタツキを抑制できる。また、掴み片５１６ｅを矢印Ｈの方向に移動させることで、拘束金具５１０ｅを容易に取り外すことができる。取付具５２０を必要としないため、便蓋４００とケーシング２００との取付構造を簡略化することができ、硬質材料により形成された便蓋４００であっても、便蓋４００をケーシング２００から容易に着脱できる。さらに、拘束金具５１０ｅの屈曲部５１９ｅは、ガイド面４１３ｅにより案内されるため、拘束金具５１０ｅの取り付けを行いやすく、製造時やメンテナンス時の作業性を向上させることができる。なお、その他の効果についても、図２および図３に関して前述した効果と同様の効果を得ることができる。
【００５９】
図１４および図１５は、本実施形態のさらに他の変形例にかかるヒンジユニット側のヒンジピンの近傍を表す斜視模式図である。  
また、図１６は、本変形例にかかるヒンジユニット側のヒンジピンの近傍を表す平面模式図である。
【００６０】
本変形例のケーシング２００ａは、図１４および図１５に表したように、後部に凹設部２４０ａを有する。一方、本変形例の便蓋４００は、ヒンジピン保持穴４１０ｆの下部に溝部４１１ｆを有する。
【００６１】
そこで、まず、ヒンジユニット２１０に係合されたヒンジピン２３０を便蓋４００ｆのヒンジピン保持穴４１０ｆに挿入する。ヒンジピン２３０をヒンジピン保持穴４１０ｆに挿入するためには、図８（ａ）に表した矢印とは反対方向に便蓋４００ｆを移動させればよい。
【００６２】
次に、凹設部２４０ａの内壁２４１ａに拘束金具５１０ｆを取り付ける。拘束金具５１０ｆは、図１５に表したように、取付部５１１ｆと突起部５１３ｆを有する。そして、取付部５１１ｆにおいて取付具５２０により内壁２４１ａに固定させることで、拘束金具５１０ｆを内壁２４１ａに取り付けることができる。このとき、突起部５１３ｆは、取付部５１１ｆから溝部４１１ｆに向かって突出しているため、その突起部５１３ｆを溝部４１１ｆに挿入しつつ、取付部５１１ｆを取付具５２０により内壁２４１ａに固定させる。
【００６３】
そうすると、図１６に表したように、突起部５１３ｆは、便蓋４００がケーシング２００に対して閉じた状態では、溝部４１１ｆの右端部に位置する。ここで、溝部４１１ｆは、湾曲した形状を有する。溝部４１１ｆの湾曲中心４３１ｆは、図１６に表したように、ヒンジピン２３０の平坦部２３１の中心軸と略一致している。そのため、突起部５１３ｆは、ケーシング２００ａに対する便蓋４００ｆの回動とともに、図１６に表した矢印のように、溝部４１１ｆ内を相対的に移動する。つまり、拘束金具５１０ｆは凹設部２４０ａの内壁２４１ａに取り付けられているため、突起部５１３ｆは移動できないが、便蓋４００ｆが回動することで見かけ上、突起部５１３ｆは溝部４１１ｆ内を相対的に移動する。
【００６４】
そして、便蓋４００ｆがケーシング２００ａに対して開いた状態では、図１６に表した二点鎖線のように、突起部５１３ｆは溝部４１１ｆの左端部に位置する。一方、便蓋４００ｆがケーシング２００ａに対して閉じた状態では、突起部５１３ｆは溝部４１１ｆの左端部に位置する。そのため、拘束金具５１０ｆが内壁２４１ａに取り付けられた状態では、突起部５１３ｆは溝部４１１ｆから抜けない。その結果、ヒンジピン２３０がヒンジピン保持穴４１０ｆから抜けることを防止することができる。
【００６５】
本変形例によれば、拘束金具５１０ｆを取り付けたり、取り外したりすることで、便蓋４００をケーシング２００から着脱できる。また、取付具５２０は、ケーシング２００ａに固定され、便蓋４００ｆには固定されていないため、便蓋４００ｆに割れやクラックが生ずることを防止することができる。なお、その他の効果についても、図２および図３に関して前述した効果と同様の効果を得ることができる。
【００６６】
以上説明したように、本実施形態によれば、拘束金具５１０は、取付具５２０により、ヒンジピン保持穴４１０に保持されたヒンジピン２３０に固定されている。つまり、取付具５２０は、硬質材料から形成された便蓋４００には固定されていない。そのため、便蓋４００に割れやクラックが生ずることを防止することができる。そして、拘束金具５１０を取り付けたり、取り外したりすることで、ユリア樹脂などの硬質材料から形成された便蓋４００をケーシング２００から着脱できる。また、便蓋４００をユリア樹脂などの硬質材料により形成できるため、傷付き防止性を向上させつつ、着脱性を維持することができる。
【００６７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便蓋４００や便座３００などが備える各要素の形状、寸法、材質、配置などやヒンジユニット２１０や開閉ユニット２２０の設置形態などは、例示したものに限定されるわけではなく適宜変更することができる。  
また、本実施形態の説明では、便蓋４００とケーシング２００との取付構造を例に挙げて説明したが、便座３００についても同様の取付構造を有することで、ユリア樹脂などの硬質材料から形成された便座３００をケーシング２００から着脱できる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６８】
【図１】本発明の実施の形態にかかる便座装置を備えたトイレ装置を表す斜視模式図である。
【図２】ヒンジユニット側のヒンジピンの近傍を表す斜視模式図である。
【図３】ヒンジユニット側のヒンジピンの近傍を表す側面模式図である。
【図４】本実施形態の便蓋を表す斜視模式図である。
【図５】ヒンジユニット側のヒンジピン保持穴を表す斜視模式図である。
【図６】開閉ユニット側のヒンジピン保持穴を表す斜視模式図である。
【図７】ケーシングから便蓋を取り外す方法について説明するための斜視模式図である。
【図８】ケーシングから便蓋を取り外す方法について説明するための斜視模式図である。
【図９】本実施形態の変形例にかかるヒンジユニット側のヒンジピンの近傍を表す平面模式図である。
【図１０】本実施形態の他の変形例にかかるヒンジユニット側のヒンジピンの近傍を表す平面模式図である。
【図１１】図１１（ａ）は、本実施形態のさらに他の変形例にかかるヒンジユニット側のヒンジピンの近傍を表す平面模式図であり、図１１（ｂ）は、本変形例の拘束金具を表す斜視模式図である。
【図１２】本実施形態のさらに他の変形例にかかるヒンジユニット側のヒンジピンの近傍を表す平面模式図である。
【図１３】本実施形態のさらに他の変形例にかかるヒンジユニット側のヒンジピンの近傍を表す平面模式図である。
【図１４】本実施形態のさらに他の変形例にかかるヒンジユニット側のヒンジピンの近傍を表す斜視模式図である。
【図１５】本実施形態のさらに他の変形例にかかるヒンジユニット側のヒンジピンの近傍を表す斜視模式図である。
【図１６】本変形例にかかるヒンジユニット側のヒンジピンの近傍を表す平面模式図である。
【符号の説明】
【００６９】
１００ 便器、  ２００、２００ａ ケーシング、  ２１０ ヒンジユニット、  ２２０ 開閉ユニット、  ２３０ ヒンジピン、  ２３１ 平坦部、  ２３３ 保持部、  ２３５ 取付穴、  ２３７ 外周面、  ２４０ａ 凹設部、  ２４１ａ 内壁、  ３００ 便座、  ４００、４００ａ、４００ｂ、４００ｃ、４００ｄ、４００ｅ、４００ｆ 便蓋、  ４１０、４１０ａ、４１０ｂ、４１０ｃ、４１０ｄ、４１０ｅ、４１０ｆ ヒンジピン保持穴、  ４１１、４１１ａ、４１１ｃ、４１１ｄ、４１１ｅ、４１１ｆ 溝部、  ４１２ｂ 溝部、  ４１２ｅ 嵌合部、  ４１３、４１３ｃ、４１３ｄ、４１３ｅ ガイド面、  ４１４ｂ 溝部、  ４１５ 内壁、  ４２０ ヒンジピン保持穴、  ４２５ 内壁、  ４３１ｆ、４５１ｃ、４５２ｂ、４５４ｂ 湾曲中心、  ５１０、５１０ａ、５１０ｃ、５１０ｄ、５１０ｅ、５１０ｆ 拘束金具、  ５１１、５１１ａ 基部、  ５１１ｆ 取付部、  ５１２ｂ 拘束金具、  ５１３、５１３ａ、５１３ｃ、５１３ｄ、５１３ｅ 差込片、  ５１３ｆ 突起部、  ５１４ｂ 拘束金具、  ５１４ｅ 嵌合部、  ５１５、５１５ｅ、５１６ｅ 掴み片、  ５１７、５１７ｂ、５１７ｃ、５１７ｄ 挿通穴、  ５１８ｂ 取付穴、  ５１９、５１９ｅ 屈曲部、  ５２０ 取付具
【図１】
2010124882.tif 000003
【図２】
2010124882.tif 000004
【図３】
2010124882.tif 000005
【図４】
2010124882.tif 000006
【図５】
2010124882.tif 000007
【図６】
2010124882.tif 000008
【図７】
2010124882.tif 000009
【図８】
2010124882.tif 000010
【図９】
2010124882.tif 000011
【図１０】
2010124882.tif 000012
【図１１】
2010124882.tif 000013
【図１２】
2010124882.tif 000014
【図１３】
2010124882.tif 000015
【図１４】
2010124882.tif 000016
【図１５】
2010124882.tif 000017
【図１６】
2010124882.tif 000018